(57)【要約】【課題】洗浄時に被洗浄物が層厚になっても噴霧洗浄液で浸又は冠水させて洗浄して不完全洗浄乃至洗浄ムラを無くした洗浄ヘッドを提供する。【解決手段】洗浄ヘッド１１は、洗浄液を供給及び洗浄済液を吸引・回収する装置に接続されるヘッド本体１２と、このヘッド本体に装着される所定大きさの板状体１５からなる噴霧・吸引体１４を備えている。噴霧・吸引体１４は、板状体１５の外周エッジ部に、先端が被洗浄物に押し当たる長さの外周ブラシ複数本が所定の隙間をあけて林立されて外周ブラシ柵１６Ｆが形成され、この外周ブラシ柵１６F内に先端が被洗浄物に接触する長さの噴霧ノズル１３が位置され、この噴霧ノズル１３の周辺に洗浄済液を吸引・回収する複数の吸引孔１７及び洗浄ブラシ１８が配設され、吸引孔１７は板状体１５に穿設され、洗浄ブラシ１８は、両端に開口及び内部部が中空の筒状体で形成され、板状体１５に所定高さで立設されている。【選択図】図４
2019201925.tif 000002
【特許請求の範囲】
【請求項１】
筐体の一側壁に所定大きさの開口及び内部に所定大きさの空間を有し、洗浄液を供給及び洗浄済液を吸引・回収する装置本体に接続されるヘッド本体と、前記開口に装着され、洗浄液を噴霧する一方でまた洗浄済液を吸引・回収する所定大きさの板状体からなる噴霧・吸引体を備え、
前記噴霧・吸引体は、前記板状体の外周エッジ部に、先端が被洗浄物に押し当たる長さの外周ブラシ複数本が所定の隙間をあけて林立されて外周ブラシ柵が形成され、前記外周ブラシ柵内に先端が被洗浄物に接触する長さの噴霧ノズルが位置し、当該前記噴霧ノズルの周辺に洗浄済液を吸引・回収する複数の吸引孔及び洗浄ブラシがそれぞれ配設されて、
前記吸引孔は前記板状体に穿設され、前記洗浄ブラシは両端に開口及び内部部が中空の筒状体で形成されて、前記板状体に所定高さで立設されていることを特徴とする洗浄ヘッド。
【請求項２】
前記噴霧・吸引体は、前記外周ブラシ柵内に前記噴霧ノズルが複数本配設されていることを特徴とする請求項１に記載の洗浄ヘッド。
【請求項３】
前記洗浄ブラシは、前記筒状体の側壁面にブラシ吸引孔が形成されていることを特徴とする請求項１または２に記載の洗浄ヘッド。
【請求項４】
前記噴霧・吸引体には、ソフト洗浄部材が着脱自在に装着されていることを特徴とする請求項１〜３のいずれかに記載の洗浄ヘッド。
【請求項５】
前記噴霧・吸引体は、前記ヘッド本体の前記開口に着脱自在な結合手段で装着されていることを特徴とする請求項１〜４のいずれかに記載の洗浄ヘッド。
【請求項６】
請求項１〜５のいずれかの洗浄ヘッドに接続されて、それらへ液体を供給する一方でまた洗浄済液を吸引回収する装置本体を備え、前記装置本体は液供給器と、及び洗浄済液を吸引・回収して処理する汚染処理器と、前記汚染処理器に接続されて吸引する吸引機を備えていることを特徴とする洗浄装置。
【発明の詳細な説明】
【技術分野】
【０００１】
本発明は、洗浄ヘッド及び洗浄装置に係り、詳しくは衣服を着たまま或いは病気や高齢等で起きあがることが困難な要介護者を浴室や洗い場などへ移動させることなく寝たままでそれらの頭髪や身体ボディーなどを少量の洗浄液でしかも短時間で手軽に、簡単に洗浄及び乾燥ができる洗浄ヘッド及びその洗浄ヘッドを備えた洗浄装置に関する。
【０００２】
例えば衣服を着たまま或いは病気や高齢等で起きあがることが困難な要介護者を浴室や洗い場などへ移動させることなく寝たままでそれらの身体ボディーを洗浄する洗浄装置は既に公知である。
【０００３】
例えば、下記特許文献１（特開２００１−１４５６８２号公報）には身体の洗浄装置が記載されている。
この洗浄装置は、洗浄水を射出させる射水ノズル、洗浄済水を回収するバキューム口を有する洗浄アダプタ、このバキューム口を負圧にするポンプ、洗浄水を貯留する洗浄水タンク、及びバキューム口から吸引された洗浄済水を回収する回収タンクなどで構成されている。
【０００４】
また、下記特許文献２（特開平１１−１９６０３号公報）にも同様の洗浄装置が記載されている。
この洗浄装置は、ブラシの先端を人体に密着（接触）させ回転させて洗浄するものであって、洗浄液を供給して被洗浄物を洗浄すると共に洗浄済液を吸引・回収する装置と、被洗浄物に洗浄液を噴射する一方でまた洗浄済液を吸引・回収する吹出吸引ヘッドとを備えている。
うち、吹出吸引ヘッド１は、図９に示したように、リング状保持部２１の一面に多数の毛２aを植毛したブラシ状カバー２と、円筒状保持部３aの一面に多数の毛２ｂを植毛したブラシ３と、及び洗浄液を噴霧する噴霧ノズル４（洗浄液吹出部）とからなり、噴霧ノズル４は筒部５に一体にかつ送液ホース６の他端に脱着可能に装着され、またブラシ状カバー２は噴霧ノズル４の周囲を、距離を隔てて囲うように配され、噴霧ノズル４の周囲に空隙Ｄ（洗浄液吸引部）が形成されている。円筒状保持部３aは、筒部３１、軸部３２及び回動筒部３３で構成されている。
【０００５】
また、この噴霧ノズル４は、円錐形状に洗浄液を噴霧するようにして、この円錐形状の底面がブラシ状カバー２の毛２ｂの先端側内周に当たるように設定されて、噴霧ノズル４から噴霧される洗浄液がカバー外部へ飛散するのを抑制している。なお、ブラシ状カバー２内の空隙Ｄに存在する洗浄液は、空隙Ｄを移動して吸引カバー側へ移動するものと、人体表面を移動してブラシ状カバー２の毛２ａの先端に接触した後、毛２ａの１本１本の間の隙間を表面張力にて良好に移動して吸引カバー側へ吸引されるものになっている。
【０００６】
さらに、下記特許文献３（特開平１１−１７８８８２号公報）には名称を身体洗浄器具とした同様の洗浄装置が記載されている。
この洗浄装置も洗浄ブラシ体を回転させて洗浄するものであって、洗浄水供給部と、洗浄水で身体を洗う洗浄部と、洗浄後の汚水を回収し系外へ排出する汚水排出部とを備え、うち、身体洗浄部は、洗浄ブラシ体と、モータと、回転力伝達機構と、水漏れ防止手段で構成されている。
【０００７】
さらにまた、下記特許文献４（特開２００６−３４６４１５号公報）にも同様の洗浄装置が記載されている。
この洗浄装置は、被洗浄対象面を液体に浸し振動による液体の攪拌作用で洗浄するものであって、被洗浄対象面に対し間隔を介して対向するよう配置された底部体と、この底部体に設けられ、付勢されて発振する振動子とを含む構成をとなっている。
【０００８】
さらにまた、下記特許文献５（米国特許公開２００１/０００３３５３Ａ１）には名称を身体洗浄器具とした同様の構成を有する洗浄装置が記載されている。この洗浄装置は、吸引系構造部と液吹付け系構造部（液吹付け手段）を備え、うち吸引系構造部は、ノズル（吸い口部）、吸引手段及び被吸引物用タンクを備え、ノズルはカップ状に構成されている。この洗浄装置は、高齢者の身体に付着した排泄物を吸引除去するものである。
【先行技術文献】
【特許文献】
【０００９】
【特許文献１】特開２００１−１４５６８２号公報
【特許文献２】特開平１１−１９６０３号公報
【特許文献３】特開平１１−１７８８８２号公報
【特許文献４】特開２００６−３４６４１５号公報
【特許文献５】米国特許公開２００１/０００３３５３Ａ１
【特許文献６】特開２００１−２７５７３７号公報
【発明の概要】
【発明が解決しようとする課題】
【００１０】
上記特許文献１〜５に記載の洗浄装置は、いずれも人の身体ボディー（以下、ボディーともいう）を洗浄するものである。すなわち、特許文献１〜４の洗浄装置は衣服を着用したまま或いは介護を要する老人等がベッドに横たわったままの状態で身体を洗浄するものであり、また、特許文献５の洗浄装置は身体に付着した排泄物を洗浄するものであって、ボディーの洗浄には有用であるが頭髪の洗浄には不向きな装置であって、特に長髪洗浄の際に発生する後記の課題などへの対応は全く想定されていず対処できるものでない。以下、この点について、詳述する。
【００１１】
上記特許文献１〜３、５に記載の洗浄装置は、いずれも洗浄ヘッドは洗浄水を噴射するノズル（以下、噴射ノズルともいう）がヘッド本体の吸引開口（特許文献１ではバキューム口と表現されている）から奥深い箇所（開口から奥深く引っ込んだ箇所）に位置させているので、洗浄中に被洗浄物が層厚になると、洗浄液はこのような被洗浄物に到達し難く或いは到達しないことがある。例えば、長髪洗浄の場合に、多数本の長髪が吸引されて重なった状態になって吸引開口を塞ぎ、その結果、多数本の長髪が重なって髪の多重層が形成され、この多重になった層厚の長髪内及び頭皮に噴射された洗浄液が到達し難く或いは到達せずに、噴射洗浄液は層厚長髪の表面に当たった直後、そのまま吸引されてしまうので、頭皮を含めた頭髪洗浄は洗浄された部分或いは洗浄が不完全な部分さらに洗浄されない部分に分かれ、いわゆる不完全洗浄或いは洗浄ムラが発生する課題がある。
【００１２】
これらの洗浄ムラなどの発生を上記特許文献２の吹出吸引ヘッドで考察すると、この吹出吸引ヘッドは、噴射ノズルがブラシ状カバー内の奥深い箇所に位置させて洗浄液は円錐形状に噴霧、すなわち、この円錐形状の底面を、カバーの毛の先端側内周に当たるように設定して、噴射洗浄液が直接被洗浄物に当たらないようにして洗浄している。
そして、この吹出吸引ヘッドで長髪洗浄する場合、多数本の長髪が吸引されて重なった状態でブラシ状カバーの開口を塞いでしまい、洗浄液が長髪層内及び頭皮にも噴射された洗浄液が到達せずに吸引されてしまうので、頭皮を含めた頭髪洗浄が不完全洗浄になってしまうおそれがある。なお、噴射する洗浄液の量を増大すれば長髪層内にも届くようになるが、そうすると吸引量とのバランスが崩れて、洗浄液が外へ漏洩ないし飛散して周辺を汚染しまうことになる。また、上記特許文献６に記載の洗浄装置は、頭髪洗浄、すなわち複数本の櫛歯を設けて、洗髪、水洗い及び乾燥するものであるが、洗浄水が外部への飛散乃至滴下し周囲を汚染し、しかも上述の長髪洗浄の課題に対処できるものではない。
【００１３】
この吸出吸引ヘッドを含め同様の構造を有する洗浄ヘッドは、また以下の課題が潜在している。すなわち、抜け毛などが空隙内に詰まり、すなわち吸引口の目詰まりを起し、使用不能或いは故障の原因になること、目詰まりした抜け毛などの除去が面倒な構造になっていること。また、ブラシ状カバー及びブラシが毛で形成されているので、それらの毛が高密度で剛性であると肌触りが悪く肌を痛めること、さらに、このような吸出吸引ヘッドは、頭部やボディーなどに直接押し当てて使用するので、他人が使用したものの再利用は通常忌避され（概ね個々人専用が好まれる）、特に感染症予防対策が必要となるがこれらへの対応は想定されていないことなどである。
【００１４】
本発明者らは、上記従来技術の洗浄装置は多くの課題を抱えていることから、これらの課題の解決策を、試行錯誤を繰り返して検討した。
その検討から、洗浄時の吸引で被洗浄物が層厚になって洗浄液が届き難くなる課題に対しては噴射ノズルを被洗浄物に接触乃至中に入り込む長さにすれば、噴射洗浄液の量を増大することなく、簡単・容易に洗浄液で浸され或いは冠水させて洗浄できること、すなわち頭髪洗浄の場合に、噴射ノズルを長くし頭髪の根元まで水を到達してやれば、頭髪の中（髪の間）の含水量を増すことが可能なる（つまり頭髪上部表面が水をブロックしてしまうとブラシ内の水が一杯になり易く水が零れ易い状況になるが、頭髪内に多量に含有すれば水の量は増えて洗浄力も格段にアップする）、また、目詰まりは異なる種類の吸引手段を併設すれば解決できること、さらに、感染症対策はブラシを交換自在することにより、さらにまた肌触りはソフトタッチのアタッチメント（付属品）を装着できるようにすれば解決でき、またこのアタッチメントの装着を交換自在にすればパーソナルユース（個々人専用）にできることなどに想到し本発明と完成させるに至ったものである。
【００１５】
そこで本発明は従来技術が抱える課題を解決するためになされたものであって、その目的は、洗浄時の吸引で被洗浄物が層厚になって噴霧洗浄液が届き難くなるような場合が発生しても、被洗浄物が噴霧洗浄液で浸され或いは冠水させて洗浄できるようにして不完全洗浄乃至洗浄ムラを無くした洗浄ヘッドを提供することにある。
【００１６】
本発明の他の目的は、上記の目的を有する洗浄ヘッドを備え、さらに被洗浄物の汚れ除去及びこの汚れを含んだ洗浄済液の回収を同時に行い、衣服を着たまま状態で部屋などにおいて、或いは病気や高齢等で起きあがることが困難な要介護者を浴室や洗い場などへ移動させることなく寝たままの状態で、それらの頭髪やボディーなどを少量の洗浄液でしかも短時間で手軽に、簡単に洗浄でききる洗浄装置を提供することにある。
【課題を解決するための手段】
【００１７】
上記目的を達成するために、本発明の第１の態様の洗浄ヘッドは、筐体の一側壁に所定大きさの開口及び内部に所定大きさの空間を有し、洗浄液を供給及び洗浄済液を吸引・回収する装置本体に接続されるヘッド本体と、前記開口に装着され、洗浄液を噴霧する一方でまた洗浄済液を吸引・回収する所定大きさの板状体からなる噴霧・吸引体を備え、
前記噴霧・吸引体は、前記板状体の外周エッジ部に、先端が被洗浄物に押し当たる長さの外周ブラシ複数本が所定の隙間をあけて林立されて外周ブラシ柵が形成され、前記外周ブラシ柵内に先端が被洗浄物に接触する長さの噴霧ノズルが位置し、当該前記噴霧ノズルの周辺に洗浄済液を吸引・回収する複数の吸引孔及び洗浄ブラシがそれぞれ配設されて、
前記吸引孔は前記板状体に穿設され、前記洗浄ブラシは両端に開口及び内部部が中空の筒状体で形成されて、前記板状体に所定高さで立設されていることを特徴とする。
【００１８】
第２の態様の洗浄ヘッドは、第１の態様の洗浄ヘッドにおいて、前記噴霧・吸引体は、前記外周ブラシ柵内に前記噴霧ノズルが複数本配設されていることを特徴とする。
【００１９】
第３の態様の洗浄ヘッドは、第１または２の態様の洗浄ヘッドにおいて、前記洗浄ブラシは、前記筒状体の側壁面にブラシ吸引孔が形成されていることを特徴とする。
【００２０】
第４の態様の洗浄ヘッドは、第１〜３のいずれかの態様の洗浄ヘッドにおいて、前記噴霧・吸引体には、ソフト洗浄部材が着脱自在に装着されていることを特徴とする。
【００２１】
第５の態様の洗浄ヘッドは、第１〜４のいずれかの態様の洗浄ヘッドにおいて、前記噴霧・吸引体は、前記ヘッド本体の前記開口に着脱自在な結合手段で装着されていることを特徴とする。
【００２２】
第６の態様の洗浄装置は、第１〜５のいずれかの洗浄ヘッドに接続されて、それらへ液体を供給する一方でまた洗浄済液を吸引回収する装置本体を備え、前記装置本体は液供給器と、及び洗浄済液を吸引・回収して処理する汚染処理器と、前記汚染処理器に接続されて吸引する吸引機を備えていることを特徴とする。
【発明の効果】
【００２３】
本発明の第１の態様の洗浄ヘッドは、噴霧ノズルの先端が被洗浄物に接触乃至略接触する長さになっているので、洗浄時の吸引で被洗浄物が層厚になっても、この被洗浄物を噴霧洗浄液で浸し或いは冠水させて洗浄し洗浄ムラ乃至不完全洗浄を無くすることができる。
【００２４】
本発明の第２の態様の洗浄ヘッドは、複数本の噴霧ノズルが配設されているので、洗浄液の噴霧量を増やし被洗浄物の洗浄領域へ的確に噴霧させ、効率よく洗浄できる。
【００２５】
本発明の第３の態様の洗浄ヘッドは、洗浄済液及びゴミ等を効率よく吸引回収できる。
【００２６】
本発明の第４の態様の洗浄ヘッドは、ボディー洗浄の際に肌に優しくソフトタッチになるので、肌を痛めることがなく、違和感を与えることなく洗浄可能になる。
【００２７】
本発明の第５の態様の洗浄ヘッドは、着脱自在に結合より、噴霧・吸引体の交換が自由になって、パーソナルユース（個々人専用）が可能になり、感染予防にもなり、さらにタイプが異なる噴霧・吸引体への変更も可能になる。
【００２８】
本発明の第６の態様の洗浄装置は、装置本体により、被洗浄物の汚れ除去及びこの汚れを含んだ洗浄済液などの回収を同時に行うので、洗浄中に洗浄液が洗浄ヘッドから外へ漏出し飛散するのを阻止できる。
その結果、人が衣服を着たまま、或いは病気や高齢等で起きあがることが困難な要介護者を浴室や洗い場などへ移動させることなく寝たままの状態で、それらの頭髪やボディーなどを少量の洗浄液でしかも短時間で手軽、簡単に洗浄できる。また他の例えばペットなども同様の洗浄ができ、広範囲の被洗浄物に使用ができる。
【図面の簡単な説明】
【００２９】
【図１】本発明の実施形態に係る洗浄装置の概略斜視図である。
【図２】図２は図１の洗浄装置を構成する洗浄ヘッドを示し、図２Ａは洗浄ヘッドの斜視図、図２Ｂは図２Ａの洗浄ヘッドを構成する洗浄ブラシの斜視図、図２Ｃは図２Ｂの変形例の洗浄ブラシの斜視図である。
【図３】図３は図１の洗浄ヘッドを示し、図３Ａは分解斜視図、図３Ｂはソフト洗浄部材の斜視図である。
【図４】図２Ａの洗浄ヘッドの断面図である。
【図５】図２Ａの洗浄ヘッドの変形例１の断面図である。
【図６】図２Ａの洗浄ヘッドの変形例２の断面図である。
【図７】図２Ａの洗浄ヘッドの変形例３の断面図である。
【図８】図８は図１の装置本体を構成する汚水処理器を示し、図８Ａは断面図、図８Ｂは別の角度の断面図である。
【図９】従来技術の洗浄装置を構成する吹出吸引ヘッドの断面図である。
【発明を実施するための形態】
【００３０】
以下、図面を参照して、本発明の実施形態に係る洗浄ヘッド及び洗浄装置を説明する。但し、以下に示す実施形態は、本発明の技術思想を具体化するための洗浄ヘッド及びこの洗浄ヘッドを備えた洗浄装置を例示するものであって、本発明をこれに特定することを意図するものではなく、特許請求の範囲に含まれるその他の実施形態のものにも等しく適応し得るものである。
【００３１】
図１〜図４を参照して、本発明の実施形態に係る洗浄ヘッド及び洗浄装置の概要を説明する。なお、図１は本発明の実施形態１に係る洗浄装置の概略斜視図、図２は図１の洗浄装置を構成する洗浄ヘッドを示し、図２Ａは洗浄ヘッドの斜視図、図２Ｂは図２Ａの洗浄ヘッドを構成する洗浄ブラシの斜視図、図２Ｃは図２Ｂの変形例の洗浄ブラシの斜視図、図３は図１の洗浄ヘッドを示し、図３Ａは分解斜視図、図３Ｂはソフト洗浄部材の斜視図、図４は図２Ａの洗浄ヘッドの断面図である。
【００３２】
図１を参照して、本発明の実施形態に係る洗浄装置１０は、被洗浄物の洗浄領域を順次変更・拡大しながら洗浄乃至乾燥する洗浄ヘッド１１と、この洗浄ヘッドへ洗浄液を供給並びに洗浄済液及びゴミなどを吸引回収する装置本体２０を備えている。
【００３３】
図２〜図４を参照して、洗浄ヘッド１１は、筐体の一側壁に所定大きさの開口１２ａ及び内部に所定大きさの空間１２ｃ（図３Ａ参照）を有し、洗浄液を供給及び洗浄済液などを吸引・回収する装置本体２０（図１）に接続されるヘッド本体１２と、この開口に着脱自在に装着され、洗浄液を散水乃至噴霧する一方でまた洗浄済液などを吸引・回収する所定大きさの板状体１５を有する噴霧・吸引体１４を備えている。なお、洗浄液は洗剤及び洗浄水となっており、これらは装置本体２０の液供給器２１（図１）から供給される。
【００３４】
噴霧・吸引体１４は、板状体１５の外周エッジ部に、先端が被洗浄物に押し当たる長さの複数本の外周ブラシ１６１〜１６ｎ（ｎは自然数）を所定の隙間をあけて林立させた柵、すなわち略リング状の外周ブラシ柵１６Ｆ（図２Ａ）が形成され、この外周ブラシ柵１６Ｆの内に先端が被洗浄物に接触乃至略接触する長さで洗浄液を噴射乃至噴霧（以下、噴霧という）の噴霧ノズル１３（図４）を位置させ、且つこの噴霧ノズル１３の周辺には、洗浄済液を吸引・回収する複数個の吸引孔１７及び複数本の洗浄ブラシ１８が配設されている（図２Ａ）。
これらの外周ブラシ、吸引孔及び洗浄ブラシのうち、外周ブラシ１６１〜１６ｎからなる外周ブラシ柵１６Ｆは、外周エッジ部に略リング（環）状に配設され、また、吸引孔１７は板状体１５に直接穿設され、洗浄ブラシ１８は板状体１５から所定高さで立設され内部が中空の筒状体からなり、この筒状体は両端が開口し側面にブラシ吸引孔１８１（図２Ｂ）が形成され先端１８ｃ１が被洗浄物Ｃに押し当たる長さとなっている（図４）。
【００３５】
また、この洗浄ヘッド１１は、図３Ｂに示したように、噴霧・吸引体１４を構成する板状体１５にスポンジ材からなるソフト洗浄部材１９が着脱自在に装着される。このソフト洗浄部材は所定の弾性を備えたスポンジ材からなり、被洗浄物、例えばボディーなどに接触させて洗浄するものである。
【００３６】
また、図１、図８を参照して、装置本体２０は図１に示したように、洗浄ヘッド１１へ洗浄剤乃至洗浄水を供給する液供給器２１と、洗浄ヘッド１１から回収した洗浄済液を処理する汚水処理器２２と、吸引する吸引機２６とを備え、汚水処理器２２と吸引機２６はホース２５（図８）で接続されている。
液供給器２１は、二つの液供給器２１Ａ、２１Ｂからなり、一方の液供給器２１Ａは所定量の水乃至ヌルマ湯などの洗浄水を貯留して置き、霧状にして、洗浄ヘッド１１へ供給するものであり、また、他方の液供給器２１Ｂは洗剤、例えばシャンプーをそのまま或いは霧状にして、洗浄ヘッド１１へ供給するものである。
汚水処理器２２は汚水処理タンクからなり、一端が接続ホースＨにより洗浄ヘッド１１のヘッド本体１２に接続され、他端が吸引機２６に連結されて、この吸引機によって、洗浄ヘッド内部及び汚水処理タンク内が吸引される。また、２個の液供給器２１Ａ、２１Ｂは接続ホースＨ１を介して空間１２ｃ内で噴霧ノズル１３に接続されている。
【００３７】
この洗浄ヘッド及び洗浄装置１０によれば、従来技術の課題を解決して、さらに、以下の顕著な作用効果を奏する。
すなわち、洗浄ヘッドは、その噴霧ノズルの先端が被洗浄物に接触乃至略接触する長さになっているので、洗浄時の吸引で被洗浄物が層厚になって洗浄液が届き難くなるような場合が発生しても、被洗浄物を噴霧洗浄液で浸し或いは冠水させて洗浄するので洗浄ムラ乃至不完全洗浄を無くすることができる。また、噴霧・吸引体はヘッド本体に着脱自在に装着されているので交換が自在になり感染症発生の予防になり、さらに、スポンジ材からなるソフト洗浄部材の装着により、ソフトな肌触りでボディーの洗浄ができ、しかもパーソナルユースにもなる。
【００３８】
また、洗浄装置は、装置本体により、被洗浄物の汚れ除去及びこの汚れを含んだ洗浄済液などの回収を略同時に行うので、洗浄中に洗浄液が洗浄ヘッドから外へ漏出し飛散するのを阻止できる。
その結果、人が衣服を着たままで或いは病気や高齢等で起きあがることが困難な要介護者を浴室や洗い場などへ移動させることなく寝たままの状態で、それらの頭髪やボディーなどを少量の洗浄液でしかも短時間で手軽、簡単に洗浄及び乾燥ができきる。また他の例えばペットなども同様の洗浄及び乾燥ができ、広範囲の被洗浄物に使用できる。
【００３９】
以下、この洗浄装置の細部構成を詳述し、さらに他の作用効果を説明する。
【００４０】
図２〜図４を参照して、洗浄ヘッド１１は、筐体の一側壁に所定大きさの開口１２ａ及び内部に所定大きさの空間１２ｃを有し、洗浄液を供給及び洗浄済液を吸引・回収する装置本体２０に接続されるヘッド本体１２と、この開口１２ａに装着され、洗浄液を噴霧する一方でまた洗浄済液などを吸引・回収する所定大きさの板状体１５を有する噴霧・吸引体１４を備えている。
【００４１】
ヘッド本体１２は、一側壁の一部端に略円形状の開口１２ａ並びに内部に所定大きさ及び形状の空間１２ｃを有するドーム型のハウジングで構成されている。
すなわち、図４を参照して、このヘッド本体１２は、上方に所定大きさの略半円形状（断面視）の天井壁１２ｂ１と、この天井壁の周囲から下方へ所定長さ垂下した囲い壁１２ｂ２と、内部にこれらの天井壁及び囲い壁で囲まれた所定大きさの空間１２ｃを備え、下方に所定大きさの開口１２ａ（図３Ａ）を有した略ドーム型のハウジング（筐体）からなり、金属乃至合成樹脂材で形成されている。
【００４２】
開口１２ａの部分は、図３Ａに示したように、略円筒形状に形成し、その外周囲に噴霧・吸引体１４を嵌合固定する嵌合部１２ａ１が形成されている。なお、この開口部分の形状は円筒形状に限定するものではなく、任意の形状、円形以外の形状、例えば楕円形、矩形、その他の形状でよく、その形状及び大きさは噴霧・吸引体１４の大きさ形状によって決める。
【００４３】
また、空間１２ｃは、図４に示したように、所定の大きさを有し、天井壁１２ｂ１の内壁面には、噴霧ノズル１３を位置決め乃至固定するノズル固定部１２ｂ１１が形成されている。すなわち、このノズル固定部１２ｂ１１は所定形状の突起枠からなり、噴霧ノズル１３の一部を嵌め込み位置決め（組立て時に噴霧・吸引体１４との間で位置決めする）する枠となっている。なお、噴霧ノズル１３は、ここに固定せずに噴霧・吸引体１４に装着してもよい。噴霧ノズルは後記する。
【００４４】
また、囲い壁１２ｂ２は、その一部が延設されてヘッド使用時に手で握る把持部（いわゆるハンドル部）１２ｄ（図１、図２）が形成され、この把持部１２ｄの端部にはホース接続部が形成されて、ここには接続ホースＨ（図１参照）が接続される。この接続部に接続ホースが接続され、ホース他端が装置本体２０に結合されるので、この接続部側は吸引、いわゆるバキューム側となる。
接続ホースＨ（図１）は、所定の長さの中空管からなり、その径は小径中空管（液供給ホースＨ１）が挿通される大きさになっている。すなわち、この接続ホースＨは、その内部は図４に示したように液供給ホースＨ１とこのホース外の隙間となっており、この隙間を利用して洗浄済液及びゴミなどが吸引・回収される。
この接続ホースＨは、一端が前記の把持部１２ｄに他端が装置本体２０に接続され、このホース内の液供給ホースＨ１は一端が噴霧ノズル１３に他端が各液供給器２１Ａ、２１Ｂ（図１）に接続されている。
【００４５】
また、天井壁１２ｂ１には、洗浄ヘッド１１をオン・オフする操作スイッチ（図示省略）が装着されている。なお、操作スイッチは、図示を省略した制御盤に電気的に接続され、この制御盤はまた各液供給器２１Ａ、２１Ｂ及び吸引機２６（図１参照）にも電気的に接続されている。操作スイッチをオン・オフすると、制御盤からの指令により、洗浄ヘッド１１へ各液供給器２１Ａ、２１Ｂから洗浄液を供給し、また、吸引機２６が作動して、洗浄ヘッド１１から洗浄済液などが吸引される。なお、制御盤を介さずに、各液供給器２１Ａ、２１Ｂ及び吸引機２６に個別のスイッチを取付けて、それらを個別にオン・オフさせてもよい。なお、液供給器２１Ａ、２１Ｂは手動式のものでもよく、また操作スイッチは防水タイプのものを用いる。
【００４６】
図２〜図４を参照して、噴霧・吸引体１４は、ヘッド本体１２の開口１２ａを塞ぐ大きさ、例えば円盤状の板状体１５を有し、合成樹脂材などの成型体で形成されている。なお、この板状体は、外周ブラシ、洗浄ブラシを含め全体を、エラストマー樹脂で形成するのが好ましい。
【００４７】
この板状体１５は、図３Ａに示したように、所定大きさ及び形状の表裏面１５ａ、１５ｂ並びに所定の肉厚を有し、一方の面１５ｂの外周縁にヘッド本体１２の嵌合部に嵌合する嵌合結合部１５ｂ１（図４）が形成され、他の面１５ａに複数本の外周ブラシ１６１〜１６ｎ及び洗浄ブラシ１８が形成されている。
嵌合結合部１５ｂ１は、ヘッド本体１２の嵌合部１２ａ１（図４）に嵌合する構造となっている。
この嵌合結合部１５ｂ１は、ヘッド本体１２の嵌合部１２ａ１に強制的に押し込み嵌合させるように弾性変形される。この弾性変形は、噴霧・吸引体１４の板状体１５をエラストマー樹脂などからなる成型体で形成し、嵌合結合部１５ｂ１を内部分と比べて肉薄に形成することによって、反復変形が可能な弾性力を付与できる。この嵌合により、ワンタッチでヘッド本体に着脱自在な結合が可能になる。この着脱自在に結合より、噴霧・吸引体１４の交換が自由になって、パーソナルユース（個々人専用）が可能になり、しかもまたタイプが異なる噴霧・吸引体への変更も可能になる。なお、この着脱自在な結合は弾性変形に限定するものでなく既に公知の着脱自在な結合手段を用いてもよい。また、着脱自在でなく接着剤などで固定してもよい。
【００４８】
ところで、洗浄ヘッド１１は、使用中に、ヘッド本体１２の空間１２ｃ内に、吸引機２６（図１）からの吸引により、強力な吸引力が作用する。そのため、弾性力を付与するために噴霧・吸引体１４を構成する板状体１５をシリコン、エラストマー樹脂成型体で形成すると、この強力な吸引力により、板状体１５が、図４から見て、上下動し、それが頻繁に起こると、その部分が損傷・破損する恐れがある。この損傷などを回避するために、板状体１５は、それを補強する補強材、例えば所定の厚みを有する金属板やカーボネイトのような硬度のあるプラスチックなどを用いて補強するのが好ましい。補強材（図示省略）は、板状体１５の内部に埋め込め、例えば、３層構造にして中間に補強材を介在、乃至２層構造で下面に補強材を設けたものなどにする。この補強材は、吸引孔、洗浄ブラシの部分が貫通している。
【００４９】
なお、この噴霧・吸引体１４の板状体１５は被洗浄対象乃至領域の洗浄部分の形状に合わせた形状に形成するのが好ましい。例えば、頭髪を洗浄する場合は、頭部は概ね半球形状をしているので、この半球形状の半径を例えば約５２．７ｍｍと想定し、この半径に合わせた湾曲したドーム型、カップ乃至お椀形状にする。さらに詳述すると、板状体は円形の場合、この中心線を通り対向する外周ブラシ１６間の長さは６０ｍｍ程度が好ましい。この長さが８５ｍｍを超えると頭の大きさによるカーブが影響し使用できず、また４５ｍｍ以下であると何度も洗浄しければならなくなり、頭髪洗浄に適しなくなる。
【００５０】
ドーム型にすることにより、洗浄ヘッド１１を頭部に押し当てたときに、噴霧・吸引体１４は天井が高くなり、頭部との間に比較的大きい洗浄空間が形成されるので、この空間を利用して洗浄液を効率よく循環させることができる。すなわち、天井の噴霧ノズル１３から洗浄液が霧状に噴射されると、噴霧水が比較的大きな洗浄空間内でミスト状になって充満すると共に内部で対流・循環して、洗浄部分を効率よく洗浄し、また洗浄済液などを吸引孔及び洗浄ブラシから効率よく吸引できて、これらの洗浄液が外部へ飛散するのを防止できる。なお、噴霧・吸引体１４の形状は、上記の頭髪洗浄に限定するものでなく、他の洗浄対象の場合は、それに合わせて変更される。
【００５１】
図２Ａを参照して、板状体１５の他の面１５ａの外周エッジ部には、先端が被洗浄物に押し当たる長さの複数本の外周ブラシ１６１〜１６ｎ（ｎは自然数）が所定の隙間をあけて林立した柵、すなわちリング状の外周ブラシ柵１６Ｆが形成され、この外周ブラシ柵１６Ｆ内に先端が被洗浄物に接触乃至略接触する長さの噴霧ノズル１３を位置させ、またこの噴霧ノズルの周辺には、洗浄済液を吸引・回収する複数個の吸引孔１７及び複数本の洗浄ブラシ１８がそれぞれ配設されている。
【００５２】
これらの配設は、所定の規則性を持たせて配列するのが好ましい。例えば、ノズル装着孔１５１を中心に設けた場合、この位置から若干離れた周囲、すなわち、ノズル装着孔１５１からそれぞれ所定距離離れた周囲のエリア（領域）に、噴霧・吸引体１４を構成する板状体１５の裏面（図４からみて）から所定長さ下方へ垂下させた複数の洗浄ブラシ１８及び吸引孔１７を所定の間隔をあけて配列する。これらの配列は、例えばノズル装着孔１５１を中心にして、この中心から外方へ離れるに従って面積を大にした異なる面積の複数の相似形の仮想の囲み、又は、四方放射状に複数本の仮想の放射線をそれぞれ描き、これらの囲みの外周又は放射線上に複数本の洗浄ブラシ１８を所定の間隔をあけて配列し、また、複数の吸引孔１７は、洗浄ブラシ間にそれぞれ配列する。なお、囲み形状は、例えば、多角形、楕円形、円形などである。
これらの洗浄ブラシ及び吸引孔などの規則性の配列により、洗浄済液などの吸引、外部への排出が効率よくできる。また、洗浄ブラシのブラシ吸引孔を所定の方向へ向けることによって、さらに吸引、排出の効率がよくなる。なお、洗浄ブラシ１８の他に、開口を有しないブラシを所定の間隔をあけて所定の数だけ設けてもよい。
【００５３】
以下、順に外周ブラシ１６、ノズル装着孔１５１、吸引孔１７及び洗浄ブラシ１８を説明する。
【００５４】
図２Ａを参照して、複数本の外周ブラシ１６１〜１６ｎは、同じ形状であって、板状体１５から立設した所定の太さ及び長さの櫛歯、柱状体などで形成されている。太さは任意でよく（例えば直径２ｍｍ）、また長さは被洗浄物に押し当たる長さ、すなわちその先端が被洗浄物に少し力を入れて押し当てる（当たる）長さにして、隙間から外気が吸引され、また、この外周ブラシはソフト洗浄部材１９の装着孔に嵌りこれを固定する機能を兼ねている。
各外周ブラシ１６１〜１６ｎの間隔は、狭くすると外気の吸引が難しく、一方広くすると洗浄液が外部へ飛び出す恐れがあるので、これらのバランスを考慮して決める。この隙間は例えば約３．００ｍｍ程度が好ましい。
各外周ブラシを所定の太さ及び間隔にすることによって、外気の吸入がスムーズになる一方でまた噴霧された洗浄液の外部への漏出が阻止される。
すなわち、洗浄ヘッド１１は、使用中に、ヘッド本体１２の空間１２ｃ内に強力な吸引力が作用し、この吸引力により外周ブラシ柵１６Ｆ内が負圧になり、洗浄済液などが吸引・回収される。
【００５５】
板状体１５には、所定位置にノズル装着孔１５１が形成され、この孔に噴霧ノズルが挿通されて位置決めされる。
噴霧ノズル１３は、図４に示したように、一端に所定大きさのヘッド部１３ａと、このヘッド部から所定長さ延設された胴部１３ｂと、この胴部からさらに延設し洗浄液を噴霧するノズル部１３ｃを有し、内部に所定形状の中空孔１３０を設けた所定長さの筒状体で構成されている。この噴霧ノズル１３は、特にノズル部１３ｃの長さが重要になっている。この点は後記する。
ヘッド部１３ａは、内部に所定大きさの空間を有する比較的大きいブロックで形成し、頂部にヘッド本体１２のｂ１１（図４）に嵌め込まれる突起が形成され、また一側壁面に貫通孔が形成され、この貫通孔に液供給ホースＨ１が接続されて、洗浄液が供給される。また、内部の中空孔１３０は胴部１３ｂとノズル部１３ｃと間が若干狭められ、ノズル部１３ｃで先端に向けて拡大されている。この構成により、洗浄液等が放射状に拡散されて噴霧される。
この噴霧ノズル１３には、節水型のものを使用するのが好ましい。このタイプの噴霧ノズルには、四方へ洗浄液を噴霧乃至噴射させる微細孔などを設けたものを使用する。なお、この種の節水型の噴霧ノズルは、既に公知であり、本発明は、この公知のものを使用するので、詳細な説明は省略する。なお、噴霧ノズルに代えて節水型の噴霧ノズルを使用してもよい。
【００５６】
この噴霧ノズル１３は、そのノズル部１３ｃが板状体１５のノズル装着孔１５１に挿通して位置決めされる。ノズル装着孔１５１は板状体１５を貫通した貫通孔からなり、中心から若干からズレ、すなわち把持部１２ｄから離れた方向へ偏った箇所に形成するのが好ましい。この位置にノズル装着孔１５１を設けると、洗浄時にノズル部１３ｃから洗浄液等が被洗浄物に万遍なく行き渡るように噴霧され洗浄される。すなわち、ノズル装着孔１５１を把持部１２ｄに近い位置にすると、吸引機２６（図１）側へより接近してしまいノズル部１３ｃからの洗浄液等が被洗浄物に万遍なく行き渡り難くなるのを回避できる。
【００５７】
洗浄ヘッド１１は、組立て時に、噴霧ノズル１３のノズル部１３ｃの先端１３ｃ１と被洗浄物の洗浄面Ｃ（例えば頭皮）との間に所定の隙間Ｇが形成されるように調整して組立てる。この隙間Ｇ（図４）は洗浄面Ｃ（頭皮）から数ミリ、例えば２〜３ｍｍ程度が好ましい。この隙間Ｇの形成により、洗浄中に長髪が積み重なって層厚になっても先端１３ｃ１が層厚毛内に入り込み、噴霧洗浄液で浸し、或いは冠水させるので洗浄ムラが発生することなく良好な洗浄ができる。なお、外周ブラシ１６との長さで比較すると、ノズル部１３ｃの先端１３ｃ１と外周ブラシ１６の先端との差が隙間Ｇの長さに等しくなっている。
この隙間Ｇの調整は、噴霧ノズル１３にノズル部１３ｃを所定の長さにしたものを用い、この噴霧ノズル１３をヘッド本体１２の空間１２ｃ内に組込み、ノズル部１３ｃをノズル装着孔１５１に挿通し、板状体１５を開口１２ａに装着することによって、隙間Ｇが形成されるように調整して組立てる。
【００５８】
図３Ａ、図４を参照して、複数個の吸引孔１７は板状体１５に穿設されている。
すなわち、これらの吸引孔１７は、いずれも所定の形状及び大きさを有し板状体１５に直に形成されている。形状及び大きさは、任意でよい。また、これらは各洗浄ブラシ１８の周辺乃至近接した箇所に配設する。
複数個の吸引孔１７を板状体１５に直に形成することにより、洗浄済液及び抜け毛などを素早く且つ効率よく吸引・回収できる。また、洗浄済液及び抜け毛などは洗浄ブラシ１８でも吸引・回収されるが、仮に洗浄ブラシ１８が頭髪などを吸い込んで詰まっても、吸引孔１７から吸引・回収できるので、洗浄ブラシ１８の詰まりよる故障を回避できる。さらに、抜け毛が長髪の場合、直接吸引孔に吸い込まれるのでなくまず高さ段差のある洗浄ブラシ１８に吸い込まれ、両者に跨ることになるので、吸引孔目詰まりの予防になり、また簡単に除去できる。なお、この吸引孔の個数、形状及び大きさを所定のものにすることによって、洗浄済液、抜け毛及び頭皮（アカ）などを効率よく吸引・回収できる。すなわち、従来技術のように、１つの大きな吸引口によるものでは、噴霧ノズルから噴霧された洗浄液は被洗浄物に行き届かず、また十分に対流することなく直ちに大きな吸引口から吸引されるので良好な洗浄ができないが、この点が改善される。さらに、この吸引孔は乾燥の際にも多大な効果を発揮する。
【００５９】
この洗浄ブラシ１８Ａは、図２Ａに示したように、板状体１５から所定高さ立設し、内部が中空１８０の円錐筒状体からなり、板状体１５から延びた基部１８ａと、この基部から所定長さ延設し先端が尖った円錐部１８ｂを有し、円錐壁の一部を切り欠いた穴、すなわちブラシ吸引孔１８１が形成されている。なお、符号１８ｃは頂部の先端部であって、この部分にも開口を設けてもよい。
洗浄ブラシの太さは直径３ｍｍ〜９ｍｍで長さ（被洗浄領域方向へ突出した高さ）は１５ｍｍ以下が好ましい。すなわち、太さは特に限定されないが高さが１５ｍｍを超えると洗浄液が飛散乃至滴下し易くなるので、１５ｍｍ以下が好ましい。なお、下限は５〜６ｍｍである
この洗浄ブラシ１８は、ブラシ吸引孔１８１から洗浄済液及び抜け毛などが吸引回収される。なお、ブラシ吸引孔１８１から長髪の抜け毛が吸引されても、一部がこの穴から露出しているので抜き取り除去が簡単に行える。なお、これの洗浄ブラシは、板状体１５の成型時に一体に形成し、或いは、これに植設してもよい。
【００６０】
図２Ｃの洗浄ブラシ１８Ａは、洗浄ブラシ１８の一部を変更した変形例であって、この洗浄ブラシ１８Ａは上下端にそれぞれブラシ開口１８ａ'、１８ｃ'、胴部１８ｂ'、側面にブラシ吸引孔１８１'及び先端部１８ｃ'を有し、所定太さ及び長さの筒状体で形成されている。太さは及び長さは洗浄ブラシ１８Ａと同じである。また、ブラシ吸引孔１８１'は、細溝、スリットに限定されず、他の形状のもの例えば、孔などでもよい。
これらの洗浄ブラシ１８Ａは、噴霧・吸引体を構成する板状体１５上に、それぞれのブラシ吸引孔１８１'が半時計方向又は時計方向を向くようにして配置するのが好ましい。この配置により、吸引時に、半時計方向又は時計方向に、渦巻き状の流れが形成されて、吸引される。この吸引により、飛散、漏出を防止できる。例えば、頭部洗浄の場合、洗浄ブラシが頭皮に当たるとブラシ開口１８ｃ'が封鎖されてブラシ吸引孔１８１'のみになる。そのため吸引力が増し渦巻きの流れが形成され循環の力がますます強くなる。
【００６１】
以上説明した噴霧・吸引体１４は、ヘッド本体１２と別体にし、交換自在にしたので、噴霧・吸引体を任意の形状、また、これに穿設する吸引孔の大きさ、形状及び個数、さらに、取り付ける洗浄ブラシの選定、本数などは、都度任意に変更し、被洗浄態様乃至領域に合わせて、設計・製作できる。
【００６２】
図３Ｂを参照して、ソフト洗浄部材１９を説明する。なお、図３Ｂはソフト洗浄部材の斜視図である。
このソフト洗浄部材１９は、上下に所定大きさ（例えば板状体１５と略同じ径）及び形状（円盤状）の表裏面１９ａ、１９ｂと、間に所定の厚さの肉厚１９ｃを有するスポンジ材からなるブロック体であって、外周縁に表裏面のいずれか一方の面から他方の面に向かって貫通した複数個の装着孔１９１〜１９ｎ及び内部に噴霧ノズル１３から噴射された霧状液を通過させる噴霧孔１９０が穿設されている。それぞれの装着孔１９１〜１９ｎは各外周ブラシ１６１〜１６ｎに対応する箇所に設け、その大きさはそれらに嵌挿されるサイズに形成されている。これにより、着脱が自在になる。
また噴霧孔１９０は、噴霧ノズル１３のノズル部１３ｃに対応する箇所に位置し、その大きさは比較的大径の貫通孔に形成されている。
ソフト洗浄部材１９のブロック体を構成するスポンジ材は、内外部に複数個の微細な空隙及び全体が所定の柔軟性（ソフト）を有し、外気乃至水を通過乃至透過されるものとなっている。なお、このようなスポンジ材は多く存在で既に公知となっているので、それらから選択して使用する。
このソフト洗浄部材１９により、ボディー洗浄の際に肌に優しくソフトタッチになるので、肌を痛めることがなく、違和感を与えることなく洗浄可能になる。また、着脱自在なので、交換が容易でまたパーソナルユースにできる。
【００６３】
図５〜図７を参照して、洗浄ヘッドの変形例１〜３を説明する。なお、図５は図２Ａの洗浄ヘッドの変形例１の断面図、図６は図２Ａの洗浄ヘッドの変形例２の断面図、図７は図２Ａの洗浄ヘッドの変形例３の断面図である。
これら変形例の洗浄ヘッド１１Ａ〜１１Ｃは、噴霧ノズルの位置を変更或いはその本数を複数にして、被洗浄物の種類及びそれらに適合した洗浄ができるようにしたものである。
以下の説明では、先に説明した洗浄ヘッド１１と共通する部分には同じ符号を付して、その部分の説明を引用することとし、異なる構成について説明する。
【００６４】
図５を参照して、変形例１の洗浄ヘッド１１Ａは、噴霧ノズル１３を把持部１２ｄ（バキューム側）からさらに離れた位置（図４の位置よりさらに右側）に移動させ、ノズル部１３ｃが被洗浄物の洗浄領域の中心に向けを所定角度で傾斜させて、ヘッド本体１２のノズル固定部１２ｂ１１と板状体１５のノズル装着孔１５１で位置決め固定したものである。なお、角度は被洗浄物の中心に向ける角度に調整される。
【００６５】
このように噴霧ノズルは中心を超え把持部１２ｄ（バキューム側）から離れた位置に配設することにより、洗浄時に、噴霧ノズルから噴霧された洗浄液は被洗浄領域へ万遍なく行き届き、洗浄液が届かなくて洗浄不良が発生する洗浄ムラを回避できる。なお、噴霧ノズルがバキューム側に近い箇所にあると、噴霧ノズルから噴霧された洗浄液は略直後に吸引孔から吸引されて、被洗浄領域へ行き届かなくなり洗浄できなく恐れがあるが、これを回避できる。
【００６６】
この洗浄ヘッド１１Ａによれば、被洗浄物の洗浄領域へ的確に洗浄液を噴射させて洗浄でき、洗浄後の洗浄済液は効率よく吸引回収できる。図の矢印は噴射及び吸引回収を示し、その矢印の大きさは量を模式して示している。
【００６７】
図６を参照して、変形例２の洗浄ヘッド１１Ｂは、噴霧ノズル１３を変形例１の洗浄ヘッド１１Ａのそれと対側、すなわち、把持部１２ｄ（バキューム側）に配設したものである。この洗浄ヘッド１１Ｂと同じ作用効果を奏する。
【００６８】
図７を参照して、洗浄ヘッド１１Ｃは、２本の噴霧ノズル１３Ａ、１３Ｂを用い、両サイドに配設したものである。すなわち、両洗浄ヘッド１１Ａ、１１Ｂを両サイドに配設して、両サイドから洗浄液を噴霧するものである。
この洗浄ヘッド１１Ｃによれば、２本の噴霧ノズルにより、噴霧する洗浄液を増やし被洗浄物を効率よく洗浄することが可能になる。
【００６９】
次に、図１、図８を参照して、装置本体２０を説明する。なお、図８は図１の装置本体を構成する汚水処理器を示し、図８Ａは断面図、図８Ｂは別の角度の断面図である。
装置本体２０は、図１に示したように、洗浄ヘッド１１へ洗浄剤乃至洗浄水を供給する液供給器２１と、洗浄ヘッド１１から吸引回収した洗浄済液を処理する汚水処理器２２と、吸引する吸引機２６とを備え、汚水処理器２２と吸引機２６はホース２５で接続されている。
液供給器２１は、二つの液供給器２１Ａ、２１Ｂからなり、一方の液供給器２１Ａは所定量の水乃至ヌルマ湯などの洗浄水を貯留して置き、霧状にして、洗浄ヘッド１１へ供給するものであり、また、他方の液供給器２１Ｂは洗剤、例えばシャンプーをそのまま或いは霧状にして、洗浄ヘッド１１へ供給するものである。
これらの液供給器は、噴霧機能を備えたもの（通常、噴霧器と呼ばれている。）を含めて、いずれも既に公知のものであり、本発明はこれらを使用する。詳細説明は省略する。勿論、噴霧器に代えて他の公知の同じ機能を有する供給器を使用してもよい。
【００７０】
汚水処理器２２は、図８に示したように、汚水処理タンク２２で構成されている。この汚水処理タンク２２は、一端が接続ホースＨ１により洗浄ヘッド１１の把持部１２ｄを通してヘッド本体１２に接続され、他端がホース２５で吸引機２６に連結されている。この吸引機２６は、公知のバキューム機構を設けた吸引機（例えば家庭用掃除機が有する吸引機能）を使用するのが好ましい。勿論、汚水処理タンクにバキューム機能を備えた吸引機を付設してもよい。また、２個の液供給器２１Ａ、２１Ｂは接続ホース内の液供給ホースＨ１を介して空間１２ｃ内で噴霧ノズル１３に接続されている。各液供給器２１Ａ、２１Ｂから噴霧ノズル１３への液供給は切換手段によって行われる。
【００７１】
汚水処理タンク２２は、洗浄ヘッド１１から吸引した空気と洗浄済液及びゴミとを分離するものである。
この汚水処理タンク２２は、図８で示したように、所定形状及び大きさの底板２２ａと、この底板の周囲から所定高さ立設した側板２２ｂと、側板上端の開口を覆う蓋板２２ｃとを有し、内部に所定大きさのタンク空間２２０を形成し、蓋板２２ｃの一端に入り口２２１、他端に出口２２２が設けてある。内部のタンク空間２２０は、蓋板２２ｃの略中央から底板２２ａへ向かって、底板へ届かない所定長さ垂下した仕切り板２３で区画して、この仕切り板２３を境にして両サイドに２つの小部屋を形成したものである。仕切り板２３の下端には、浮力により上下動する浮き板（図８ではフローター）２４が取付けられている。この浮き板２４は、略中央に空気を通過させる開口Ｇ０が形成されている。
【００７２】
この汚水処理タンク２２は、洗浄ヘッド１１から洗浄済液などを吸引すると、タンク内で洗浄済液（汚水）と、ゴミ（抜け毛、垢及びゴミ）とを分離し、ゴミを除去した空気を出口２２２からホース２５へ送り出す。なお、汚水はタンクの底へ貯留される。
なお、汚水処理器２２は汚水処理タンクで構成したが、これに限定するものでなく、他の公知の処理器を使用してもよい。
【００７３】
図１を参照して、洗浄装置１０を使用して頭髪を洗浄する例を説明する。  頭髪の洗浄は、以下の順序で行う。
【００７４】
ア  洗剤（シャンプー）洗浄
洗浄ヘッド１１を頭部へ押し当て、まず、液供給器２１Ａから頭髪へ所定量の洗浄液、すなわち水を噴霧し、頭部全体の頭髪を濡らした後、水の供給を止め液供給器２１Ｂから所定量の洗浄液、すなわち洗剤（シャンプー）を散布する。
洗剤散布後は、洗浄ヘッド１１を頭部から離して、両手で頭髪を擦って汚れを落とし、頭部全体の頭髪を洗剤で泡立して洗浄する。なお、頭髪を手で洗洗浄するので、従来技術のようにブラシ体を回転させる機構が不要となり洗浄ヘッドの構造を簡単にできる。また、洗剤は液供給器２１Ｂから供給せず、市販の洗浄ボトルなどから直接散布するようにしてもよい。
【００７５】
イ  水洗い洗浄
洗剤シャンプーした後は、再び、洗浄ヘッド１１を頭部へ押し当て、液供給器２１Ａを作動させ、噴霧ノズル１３から所定量の水を噴霧して頭髪を水洗いし、略同時に、吸引機２７を作動させて、洗浄ブラシ１８及び吸引孔１７から洗浄済液（洗浄水、シャンプー、抜け毛、垢、油など．）を空気と共に吸引し、頭部全体の頭髪を水洗いする（図４参照）。なお、図４の矢印は吸引方向を示している。
【００７６】
この頭髪洗浄において、噴射ノズルのノズル部が長くなっているので、洗浄液は頭髪の根元まで到達し、頭髪の中（髪の間）の含水量が増大し、この増大により洗浄が格段にアップし洗浄ムラなどが生じることがない。
【００７７】
また、噴霧・吸引体１４をドーム型にすると、この噴霧・吸引体を頭部に押し当てたときに、中央の天井が高くなり、頭部との間に比較的大きい空間が形成されるため、この空間を利用して洗浄液を効率よく循環させることができる。すなわち、天井の噴霧ノズル１３から水が霧状に噴射されると、噴霧水が比較的おおきな空間内でミスト状になって充満すると共に内部で対流・循環して、洗浄部分を効率よく洗浄し、また洗浄済液などを吸引孔１７及び洗浄ブラシ１８から効率よく吸引でき、これらの洗浄液などが外部へ飛散するのを防止できる。洗浄済液及び空気は、汚水処理器（汚水処理タンク）２２へ吸い込まれ、このタンク内で汚物と空気とが分離されて清浄な空気が外へ排出される。
【００７８】
ウ  乾燥
頭部全体の頭髪を水洗いした後、液供給器２１Ａをストップし、吸引機２６だけの運転を継続して、空気を吸引孔１７及び洗浄ブラシ１８から吸込み、頭部全体の頭髪を乾燥する。
【００７９】
以上頭髪洗浄について説明したが、ボディーを洗浄する場合は、ソフト洗浄部材１９を装着して、同様の方法により洗浄する。
【００８０】
この洗浄装置によれば、従来の洗浄装置に比べて手により洗剤洗浄をするので、従来技術のようにブラシ体を回転させる機構が不要となり洗浄ヘッドの構造が簡単になり、一方でまた、格段に高いレベルの節水を実現して効率よく洗浄ができ、しかも洗浄済液は、外部へ漏れることがない。
節水は、洗浄水を約３００ｃｃ、多くても５００ｃｃ（ボトル１本程度）で実現できる。この洗浄は、例えば、入浴時の洗髪は、通常２リットルの洗面器で約７杯、すなわち初回２回、洗い流し５回で行われるとすると、合計約１４リットルが使用されるので、この使用量と比べると約９６〜９８％の節水が可能になる。なお、家庭用掃除機で吸込み仕事率５００Ｗでも噴射水量を毎分１０００ｍｌまで増やしてもヘッドから水が零れることがないことを確認した。また、これにより水量を増やせば洗浄時間を圧倒的に減らすことが可能になり、吸込み仕事量が高い方、且つ水量が多い方が爽快感もあることが分った。
その結果、この洗浄装置は、水道水などの給水設備がないところで少ない洗浄水で効率よく簡単に手軽に洗浄することが可能になる。
【００８１】
なお、この洗浄装置は、頭髪の洗浄だけでなく、他のもの、例えば犬、猫などのペットなどにも使用でき、また衣類の部分洗い水気を吸い取り乾燥を早くでき、花粉シーズンには頭髪や衣類についた花粉を吸い取り花粉を家の中に持ち込ませない洗浄など種々多用途に使用できる。また、洗浄方法は上記「ア」〜「ウ」に限定されず用途に応じて、種々変更して使用する。
【符号の説明】
【００８２】
１０                              洗浄装置
１１、１１Ａ〜１１Ｃ              洗浄ヘッド
１２                              ヘッド本体
１２ａ                              開口
１２ｃ                            空間
１２ｄ                              把持部
１３、１３Ａ、１３Ｂ              噴霧ノズル
１３ｃ                            ノズル部
１４、１４Ａ、１４Ｂ、１４Ｃ      噴霧・吸引体
１５                              板状体
１６１〜１６ｎ                      外周ブラシ
１６Ｆ                            外周ブラシ柵
１７                              吸引孔
１８、１８Ａ                      洗浄ブラシ
１８１、１８１'                    ブラシ吸引孔
１９                              ソフト洗浄部材
２０                              装置本体
２１                              汚水処理器（汚水処理タンク）
２１Ａ、２１Ｂ                    液供給器
２６                              吸引機
【図１】
2019201925.tif 000003
【図２】
2019201925.tif 000004
【図３】
2019201925.tif 000005
【図４】
2019201925.tif 000006
【図５】
2019201925.tif 000007
【図６】
2019201925.tif 000008
【図７】
2019201925.tif 000009
【図８】
2019201925.tif 000010
【図９】
2019201925.tif 000011